(57)【要約】【課題】マルチキャリア伝送方式を採用しつつ、移動局の基地局への接続成功率を向上させる。【解決手段】マルチキャリア伝送方式の１つであるＯＦＤＭＡ方式を採用する基地局１２は、複数の移動局から受信される信号の受信レベルの最大値が基地局１２の受信ダイナミックレンジ内に入るよう、所定の帯域で受信される信号の受信レベルを一括調整する可変利得アンプ３７と、その帯域内に規定された制御チャネルで受信される制御信号の可変利得アンプ３７で調整される前の受信レベルを検出するＣＣＨ用受信レベル検出部４０と、ＣＣＨ用受信レベル検出部４０で検出される制御信号の受信レベルに基づいて、基地局１２に対する接続要求を検出する接続要求検出部６１と、接続要求検出部６１により接続要求が検出された場合に、その接続要求を送信した移動局に複数のサブチャネルのいずれかを割り当てるチャネル割当部６３と、を含む。【選択図】図３
2010278685.tif 000002
【特許請求の範囲】
【請求項１】
マルチキャリア伝送方式を採用し、所定の帯域内に規定された複数のチャネルのいずれかを介して移動局装置と通信する基地局装置であって、
複数の移動局装置から受信される信号の受信レベルの最大値が当該基地局装置の受信ダイナミックレンジ内に入るよう、前記帯域で受信される信号の受信レベルを一括調整する受信レベル調整手段と、
前記帯域内に規定された制御チャネルで受信される制御信号の前記受信レベル調整手段により調整される前の受信レベルを検出する制御信号レベル検出手段と、
前記制御信号レベル検出手段により検出される前記制御信号の受信レベルに基づいて、当該基地局装置に対する接続要求を検出する接続要求検出手段と、
前記接続要求検出手段により接続要求が検出された場合に、該接続要求を送信した移動局装置に前記複数のチャネルのいずれかを割り当てるチャネル割当手段と、
を含むことを特徴とする基地局装置。
【請求項２】
請求項１に記載の基地局装置において、
前記接続要求検出手段は、前記制御信号レベル検出手段により検出される前記制御信号の受信レベルが所定値以上である場合に、該制御信号を当該基地局装置に対する接続要求として検出する、
ことを特徴とする基地局装置。
【請求項３】
請求項１または２に記載の基地局装置において、
時分割多元接続方式を採用し、
タイムスロットごとに、前記帯域で受信される信号の前記受信レベル調整手段により調整された後の受信レベルの最大値を検出する最大受信レベル検出手段をさらに含み、
前記チャネル割当手段は、前記最大受信レベル検出手段により検出される受信レベルの最大値と、前記制御信号レベル検出手段により検出される前記制御信号の受信レベルと、の差が前記受信ダイナミックレンジ以下であるタイムスロットに属するチャネルのいずれかを前記接続要求を送信した移動局装置に割り当てる、
ことを特徴とする基地局装置。
【請求項４】
請求項１から３のいずれかに記載の基地局装置において、
前記基地局装置の受信ダイナミックレンジは、前記基地局装置が備えるＡ／Ｄコンバータのダイナミックレンジである、
ことを特徴とする基地局装置。
【請求項５】
請求項１から４のいずれかに記載の基地局装置において、
前記マルチキャリア伝送方式は、直交周波数分割多元接続方式である、
ことを特徴とする基地局装置。
【請求項６】
マルチキャリア伝送方式を採用し、所定の帯域内に規定された複数のチャネルのいずれかを介して移動局装置と通信する基地局装置のチャネル割当方法であって、
複数の移動局装置から受信される信号の受信レベルの最大値が当該基地局装置の受信ダイナミックレンジ内に入るよう、前記帯域で受信される信号の受信レベルを一括調整するステップと、
前記帯域内に規定された制御チャネルで受信される制御信号の調整前の受信レベルを検出するステップと、
前記制御信号の調整前の受信レベルに基づいて、前記基地局装置に対する接続要求を検出するステップと、
接続要求が検出された場合に、該接続要求を送信した移動局装置に前記複数のチャネルのいずれかを割り当てるステップと、
を含むことを特徴とするチャネル割当方法。
【発明の詳細な説明】
【技術分野】
【０００１】
本発明は、基地局装置およびチャネル割当方法に関する。
【背景技術】
【０００２】
ＯＦＤＭＡ（Orthogonal Frequency Division Multiple Access：直交周波数分割多元接続）方式に代表されるマルチキャリア伝送方式は、送信データ（１チャネル分のデータ）を周波数の異なる複数のキャリアに分配して伝送する通信方式である。この伝送方式では、各キャリアの帯域が狭帯域となるため、マルチパスなどによる周波数選択性フェージングの影響を受けにくい。
【０００３】
このようなマルチキャリア伝送方式により複数の移動局と多元接続を行う基地局は、周波数の異なる複数のキャリアを用いて各移動局と通信を行うため、チャネルごとに自動利得制御（Automatic Gain Control：ＡＧＣ）を行うことができず、受信帯域内に規定されたキャリアすべてに対して一括で自動利得制御を行う。
【０００４】
しかし、このような基地局では、その受信ダイナミックレンジがＡ／Ｄコンバータの受信ダイナミックレンジに依存するため、複数の移動局から受信された信号の受信レベルに大きな差があると、受信レベルの低い信号が検出されないことがあるという問題があった。
【０００５】
たとえば、図５に示すように、基地局から遠く離れた（弱電界エリアに位置する）移動局１４−１から受信される信号の受信レベルと、基地局に比較的近い（強電界エリアに位置する）移動局から受信される移動局１４−２の受信レベルと、の差がＡ／Ｄコンバータのダイナミックレンジより大きい場合に上記問題が生じる。この場合、移動局１４−２から受信される信号の調整後の受信レベル（Ａ／Ｄコンバータへの入力レベル）がＡ／Ｄコンバータのダイナミックレンジ内に入るよう（ダイナミックレンジの上限値以下となるよう）全キャリアに対して一括で受信レベルの調整が行われるため、移動局１４−１から受信される信号の調整後の受信レベルがＡ／Ｄコンバータのダイナミックレンジの下限値未満となり、移動局１４−１だけが基地局と通信を行うことができなくなってしまう。
【０００６】
この点、特許文献１には、複数の通信相手装置から受信した信号の受信強度に基づいて受信帯域の周波数特性に傾きを生じさせ、その周波数特性の傾きと複数の通信相手装置から受信した信号の受信強度とに基づいて通信チャネルの再割当てを行うことで、上記問題に対応する無線通信装置が開示されている。
【先行技術文献】
【特許文献】
【０００７】
【特許文献１】特開２００８−２４５２３２号公報
【発明の概要】
【発明が解決しようとする課題】
【０００８】
しかしながら、特許文献１に開示された技術では、移動局が基地局に接続した後に生じる上記問題には対応可能であるが、移動局が基地局に接続する際に起こる上記問題までは考慮されていない。
【０００９】
このため、弱電界エリアに位置する移動局が基地局に接続要求（制御チャネルで送信される制御信号の１つ）を送信したタイミングと同じタイミングで、強電界エリアに位置する他の移動局がその基地局に対して通信信号を送信すると、他の移動局から受信された通信信号の受信レベルに基づいてＡＧＣが行われるため、接続要求の受信レベルがＡ／Ｄコンバータのダイナミックレンジから外れ、基地局が移動局からの接続要求を検出することができない場合がある。
【００１０】
本発明は、上記課題に鑑みてなされたものであり、マルチキャリア伝送方式を採用しつつ、移動局装置の接続成功率を向上させることができる基地局装置およびチャネル割当方法を提供することを目的とする。
【課題を解決するための手段】
【００１１】
上記課題を解決するために、本発明に係る基地局装置は、マルチキャリア伝送方式を採用し、所定の帯域内に規定された複数のチャネルのいずれかを介して移動局装置と通信する基地局装置であって、複数の移動局装置から受信される信号の受信レベルの最大値が当該基地局装置の受信ダイナミックレンジ内に入るよう、前記帯域で受信される信号の受信レベルを一括調整する受信レベル調整手段と、前記帯域内に規定された制御チャネルで受信される制御信号の前記受信レベル調整手段により調整される前の受信レベルを検出する制御信号レベル検出手段と、前記制御信号レベル検出手段により検出される前記制御信号の受信レベルに基づいて、当該基地局装置に対する接続要求を検出する接続要求検出手段と、前記接続要求検出手段により接続要求が検出された場合に、該接続要求を送信した移動局装置に前記複数のチャネルのいずれかを割り当てるチャネル割当手段と、を含むことを特徴とする。
【００１２】
本発明によれば、マルチキャリア伝送方式を採用する基地局装置は、移動局装置から送信される制御信号の調整後の受信レベルが当該基地局装置の受信ダイナミックレンジから外れるような場合であっても、その移動局装置からの接続要求を検出することができる。このため、マルチキャリア伝送方式を採用する基地局装置への移動局装置の接続成功率を向上させることができる。なお、基地局装置の受信ダイナミックレンジは、基地局装置の受信系を構成する回路要素によって決定されるものであり、たとえばＡ／Ｄコンバータのダイナミックレンジに依存する。
【００１３】
また、本発明の一態様では、前記接続要求検出手段は、前記制御信号レベル検出手段により検出される前記制御信号の受信レベルが所定値以上である場合に、該制御信号を当該基地局装置に対する接続要求として検出する。
【００１４】
この態様によれば、移動局装置から送信される制御信号の調整後の受信レベルが基地局装置の受信ダイナミックレンジから外れるような場合であっても、調整前の受信レベルが所定値以上であれば、基地局装置はその移動局装置からの接続要求を検出することができる。
【００１５】
また、本発明の一態様では、前記基地局装置は、時分割多元接続方式を採用し、タイムスロットごとに、前記帯域で受信される信号の前記受信レベル調整手段により調整された後の受信レベルの最大値を検出する最大受信レベル検出手段をさらに含み、前記チャネル割当手段は、前記最大受信レベル検出手段により検出される受信レベルの最大値と、前記制御信号レベル検出手段により検出される前記制御信号の受信レベルと、の差が前記受信ダイナミックレンジ以下であるタイムスロットに属するチャネルのいずれかを前記接続要求を送信した移動局装置に割り当てる。
【００１６】
この態様によれば、接続確立後に、同一タイムスロット内における受信レベル差の拡大によって移動局装置の通信が不能となる確率を低減することができる。
【００１７】
また、本発明の一態様では、前記基地局装置の受信ダイナミックレンジは、前記基地局装置が備えるＡ／Ｄコンバータのダイナミックレンジである。
【００１８】
この態様によれば、移動局装置から送信される制御信号の調整後の受信レベルが基地局装置が備えるＡ／Ｄコンバータのダイナミックレンジから外れるような場合であっても、基地局装置はその移動局装置からの接続要求を検出することができる。
【００１９】
また、本発明の一態様では、前記マルチキャリア伝送方式は、直交周波数分割多元接続方式である。
【００２０】
この態様によれば、直交周波数分割多元接続方式を採用する基地局装置への移動局装置の接続成功率を向上させることができる。
【００２１】
また、本発明に係るチャネル割当方法は、マルチキャリア伝送方式を採用し、所定の帯域内に規定された複数のチャネルのいずれかを介して移動局装置と通信する基地局装置のチャネル割当方法であって、複数の移動局装置から受信される信号の受信レベルの最大値が当該基地局装置の受信ダイナミックレンジ内に入るよう、前記帯域で受信される信号の受信レベルを一括調整するステップと、前記帯域内に規定された制御チャネルで受信される制御信号の調整前の受信レベルを検出するステップと、前記制御信号の調整前の受信レベルに基づいて、前記基地局装置に対する接続要求を検出するステップと、接続要求が検出された場合に、該接続要求を送信した移動局装置に前記複数のチャネルのいずれかを割り当てるステップと、を含むことを特徴とする。
【図面の簡単な説明】
【００２２】
【図１】本発明の実施形態に係る移動通信システムの構成を示す図である。
【図２】本実施形態に係る移動通信システムにおけるチャネル構成を示す図である。
【図３】本実施形態に係る基地局の機能ブロック図である。
【図４】本実施形態に係る基地局で実行されるチャネル割当処理の一例を示すフロー図である。
【図５】移動局から受信される信号の受信レベルとＡＤＣのダイナミックレンジとの関係の一例を示す図である。
【発明を実施するための形態】
【００２３】
以下、本発明の一実施形態を図面に基づいて詳細に説明する。
【００２４】
図１は、本発明の実施形態に係る移動通信システム１０の構成を示す図である。図１に示すように、移動通信システム１０は、基地局１２と、複数の移動局１４（ここでは移動局１４−１，１４−２のみを示す）とを含んで構成される。基地局１２は、ＯＦＤＭＡ方式およびＴＤＭＡ／ＴＤＤ（Time Division Multiple Access/Time Division Duplex：時分割多元接続／時分割複信）方式を採用しており、自局のセル１６内に位置する複数の移動局１４と多元接続を行うことができる。
【００２５】
図２は、移動通信システム１０におけるチャネル構成を示す図である。図２に示すように、移動通信システム１０では、ＴＤＭＡフレーム（５ｍｓ）が上りサブフレーム（２．５ｍｓ）と下りサブフレーム（２．５ｍｓ）とに区分され、さらに各サブフレームがそれぞれ４つのタイムスロット（スロット１〜スロット４）に均等に区分されている。また、所定の無線周波数帯域（ここでは帯域幅を８．１ＭＨｚとする）に複数（ここでは９つとする）のＯＦＤＭＡサブチャネルが規定されている。なお、基地局１２と移動局１４との通信に割り当てられるチャネルの最小単位（帯域幅９００ｋＨｚ、時間幅６２５μｓ）はＰＲＵ（Physical Resource Unit）と呼ばれ、８つのタイムスロットのいずれかと複数のサブチャネルのいずれかとに属する。
【００２６】
また、移動通信システム１０では、ある特定のサブチャネル（ここではサブチャネル１）が制御チャネル（Control Channel：ＣＣＨ）用として規定され、その他のサブチャネル（ここではサブチャネル２〜９）が通信チャネル（Traffic Channel：ＴＣＨ）用として規定されている。
【００２７】
本実施形態では、基地局１２が、受信帯域内の全サブチャネルに対して一括で自動利得制御を行う受信部とは別に、自動利得制御を行わない制御チャネル（ＣＣＨ）専用の受信レベル検出部を備えている。これにより、制御チャネルを介して移動局１４から送信される制御信号の自動利得制御による調整後の受信レベルが基地局１２の受信ダイナミックレンジから外れるほど低い場合であっても、基地局１２は、この制御チャネル専用の受信レベル検出部によって移動局１４からの接続要求を検出できるようになっている。なお、受信レベルとしては、たとえばＲＳＳＩ（Received Signal Strength Indication：受信信号強度）が用いられる。
【００２８】
ここで、上記処理を実現するために基地局１２が備える受信系の構成を具体的に説明する。図３は、基地局１２の機能ブロック図である。図３に示すように、基地局１２は、アンテナ２０、受信部３０、ＣＣＨ用受信レベル検出部４０、信号処理部５０、および制御部６０を含んで構成される。なお、送信系の構成については説明を省略する。
【００２９】
アンテナ２０は、無線信号を受信し、受信された無線信号を受信部３０に出力する。
【００３０】
受信部３０は、帯域通過フィルタ３１、低雑音アンプ３２、ミキサ３３、帯域通過フィルタ３４、ＩＦアンプ３５、ミキサ３６、可変利得アンプ３７、ＡＤＣ（Ａ／Ｄコンバータ）３８、および受信利得制御部３９を含んで構成される。
【００３１】
帯域通過フィルタ３１は、アンテナ２０から入力される無線信号の受信帯域外の周波数成分を減衰させ、受信帯域内の周波数成分だけを通過させる通過帯域幅８．１ＭＨｚのフィルタである。低雑音アンプ３２は、帯域通過フィルタ３１を通過する無線信号を増幅し、ミキサ３３に出力する。ミキサ３３は、低雑音アンプ３２から入力される無線信号を中間周波数信号にダウンコンバートし、その中間周波数信号を帯域通過フィルタ３４およびＣＣＨ用受信レベル検出部４０の帯域通過フィルタ４１に出力する。
【００３２】
帯域通過フィルタ３４は、ミキサ３３から入力される中間周波数信号の不要な周波数成分（スプリアス）を減衰させ、所望の周波数成分だけを通過させる通過帯域幅８．１ＭＨｚのフィルタである。ＩＦアンプ３５は、帯域通過フィルタ３４を通過する中間周波数信号を増幅し、ミキサ３６に出力する。ミキサ３６は、低雑音アンプ３２から入力される中間周波数信号をベースバンド信号にダウンコンバートし、そのベースバンド信号を可変利得アンプ３７に出力する。
【００３３】
可変利得アンプ３７は、受信利得制御部３９から入力される利得制御信号に応じて利得が変化するアンプであり、ミキサ３６から入力されるベースバンド信号を増幅してＡＤＣ３８に出力する。すなわち、移動局１４から受信される信号の受信レベルは、ＡＤＣ３８に入力される前に可変利得アンプ３７により帯域全体（帯域幅８．１ＭＨｚ）で一括調整される。
【００３４】
ＡＤＣ３８は、可変利得アンプ３７から入力されるアナログのベースバンド信号をデジタル信号に変換し、そのデジタル信号を信号処理部５０に出力する。
【００３５】
受信利得制御部３９は、後述する信号処理部５０で検出される受信レベル（各サブチャネルで受信される信号の受信レベル）に基づいて、可変利得アンプ３７の利得を制御する、つまり自動利得制御を行う。具体的には、受信利得制御部３９は、移動局１４から受信される信号の受信レベルの最大値がＡＤＣ３８のダイナミックレンジ内に入るよう（ＡＤＣ３８のダイナミックレンジの上限値以下となるよう）可変利得アンプ３７の利得を決定し、可変利得アンプ３７の利得をここで決定された利得に設定するための利得制御信号を可変利得アンプ３７に出力する。
【００３６】
ＣＣＨ用受信レベル検出部４０は、帯域全体（帯域幅８．１ＭＨｚ）をカバーする受信部３０とは別に設けられた、制御チャネル（ＣＣＨ）だけをカバーする受信レベル検出回路であり、帯域通過フィルタ４１、ＩＦアンプ４２、および検波器４３を含んで構成される。
【００３７】
帯域通過フィルタ４１は、ミキサ３３から入力される中間周波数信号の不要な周波数成分（スプリアス）を減衰させ、制御チャネル用のサブチャネル１に対応する周波数成分（制御チャネルで受信される制御信号）だけを通過させる通過帯域幅９００ｋＨｚのフィルタである（図２参照）。ＩＦアンプ４２は、帯域通過フィルタ４１を通過する中間周波数信号を増幅し、検波器４３に出力する。
【００３８】
検波器４３は、ＩＦアンプ４２から入力される中間周波数信号（制御信号）の受信レベルを検出し、検出された受信レベルを制御部６０に出力する。なお、検波器４３で検出される受信レベルは、受信部３０の可変利得アンプ３７で調整される前の制御信号の受信レベルに相当する。
【００３９】
信号処理部５０は、たとえばＤＳＰ（Digital Signal Processor）で構成され、受信部３０のＡＤＣ３８から入力されるデジタル信号に対して、ガードインターバルの除去、１次復調（ＦＦＴ：Fast Fourier Transform）、通信チャネルの割当状況に基づく複素シンボル列の結合、２次復調（デジタル復調）、誤り訂正などを行い、各移動局１４からの受信データを取得する。そして、信号処理部５０は、取得された受信データを制御部６０や図示しない上位層に出力する。
【００４０】
また、信号処理部５０は、上記１次復調（ＦＦＴ）により得られる複素シンボル列の各サブキャリア成分をサブチャネルごとに連結し、各サブチャネルで受信される信号の受信レベルを検出する。そして、信号処理部５０は、検出された受信レベルを受信利得制御部３９および制御部６０に順次出力する。なお、信号処理部５０で検出される受信レベルは、受信部３０の可変利得アンプ３７で調整された後の受信レベルである。
【００４１】
制御部６０は、たとえばＣＰＵ（Central Processing Unit）およびＣＰＵの動作を制御するプログラムで構成され、基地局１２の各部を制御する。また、制御部６０は、接続要求検出部６１、最大受信レベル検出部６２、およびチャネル割当部６３を含み、移動局１４に対する通信チャネルの割当てを制御する。
【００４２】
接続要求検出部６１は、制御信号の受信タイミング（たとえば２０フレームに１回の周期で到来するタイミング）に、ＣＣＨ用受信レベル検出部４０の検波器４３で検出される制御信号の受信レベル（受信部３０の可変利得アンプ３７で調整される前の制御信号の受信レベル）に基づいて、基地局１２に対する接続要求を検出する。たとえば、接続要求検出部６１は、検波器４３により検出される制御信号の受信レベルが所定値（ＡＤＣ３８のダイナミックレンジの下限値より小さい固定値）以上である場合に、その制御信号を基地局１２に対する接続要求として検出してもよい。これにより、移動局１４から送信される制御信号の可変利得アンプ３７で調整された後の受信レベルがＡＤＣ３８のダイナミックレンジの下限値未満となるような場合であっても、接続要求検出部６１は、移動局１４からの接続要求を検出することができる（図１および図５参照）。
【００４３】
最大受信レベル検出部６２は、信号処理部５０から順次入力される受信レベル（各サブチャネルで受信される信号の受信レベル）に基づいて、タイムスロットごとに、受信帯域（帯域幅８．１ＭＨｚ）で受信される信号の可変利得アンプ３７で調整された後の受信レベルの最大値を検出する。
【００４４】
チャネル割当部６３は、基地局１２に接続を要求する移動局１４に対して通信チャネルを割り当てるとともに、基地局１２と通信中の移動局１４に対して通信チャネルの再割当てを行う。
【００４５】
たとえば、チャネル割当部６３は、基地局１２と通信中の移動局１４に対して、たとえば干渉波が少なくかつ他の移動局１４との受信レベル差が極力小さいＰＲＵ（制御チャネル用のサブチャネル１に属するＰＲＵは除く）を通信チャネルとして割り当てる。なお、チャネル割当部６３は、通信中の移動局１４に対する通信チャネルの割当てを１フレームごとに変更してもよい。
【００４６】
一方、接続要求検出部６１が接続要求を検出した場合には、チャネル割当部６３は、その接続要求を送信した移動局１４に対し、サブチャネル２〜９に属するＰＲＵのいずれかを通信チャネルとして割り当てる。このとき、チャネル割当部６３は、最大受信レベル検出部６２により検出される受信レベルの最大値と、検波器４３で検出される制御信号の受信レベルと、の差を算出し、その差がＡＤＣ３８のダイナミックレンジ以下であるタイムスロットに属するＰＲＵのいずれかをその接続要求を送信した移動局１４に割り当ててもよい。こうすれば、移動局１４が基地局１２との接続を確立した後（基地局１２から通信チャネルの割当てを受けた後）に、同一タイムスロット内における受信レベル差の拡大によって移動局１４の通信が不能となる確率を低減することができる。
【００４７】
次に、基地局１２の動作を説明する。図４は、制御信号の受信タイミングに基地局１２で実行されるチャネル割当処理の一例を示すフロー図である。
【００４８】
図４に示すように、基地局１２は、ＣＣＨ用受信レベル検出部４０で、移動局１４から制御チャネルで送信される制御信号の受信レベルを検出し（Ｓ１００）、検出された制御信号の受信レベルが所定値（ＡＤＣ３８のダイナミックレンジの下限値より小さい固定値）以上であるか否かを判定する（Ｓ１０２）。
【００４９】
ここで、Ｓ１００で検出された制御信号の受信レベルが所定値以上であれば（Ｓ１０２：Ｙ）、基地局１２は、受信された制御信号を移動局１４からの接続要求として検出し、その移動局１４に対して割り当てる通信チャネルを決定する。すなわち、基地局１２は、各タイムスロットにおける最大受信レベルと、Ｓ１００で検出された制御信号の受信レベルと、の差を算出し（Ｓ１０４）、算出された受信レベルの差がＡＤＣ３８のダイナミックレンジ以下であるタイムスロットに属するＰＲＵのいずれか（制御チャネル用のサブチャネル１に属するＰＲＵは除く）を、その制御信号を送信した移動局１４に割り当てる（Ｓ１０６）。これにより、接続確立後に、移動局１４の通信が不能となる確率を低減することができる。
【００５０】
一方、Ｓ１００で検出された制御信号の受信レベルが所定値未満であれば（Ｓ１０２：Ｎ）、基地局１２は、移動局１４からの接続要求が届いていないと判定し、移動局１４に対する通信チャネルの割当ては行わない。
【００５１】
以上説明した基地局１２によれば、制御チャネル専用のＣＣＨ用受信レベル検出部４０を備えているため、移動局１４から送信される制御信号の可変利得アンプ３７で調整された後の受信レベルがＡＤＣ３８のダイナミックレンジから外れるような場合であっても、その移動局１４からの接続要求を検出することができる。このため、ＯＦＤＭＡ方式を採用する基地局１２への移動局１４の接続成功率を向上させることができる。
【００５２】
なお、本発明は上記実施形態に限定されるものではなく、次のような変形例も考えられる。
【００５３】
たとえば、上記実施形態では、受信部３０とは別にＣＣＨ用受信レベル検出部４０を設けたが、ＣＣＨ用受信レベル検出部４０を受信部３０内（たとえば受信部３０のミキサ３３と可変利得アンプ３７との間）に配置してもよい。
【００５４】
また、上記実施形態では、基地局の受信ダイナミックレンジがＡ／Ｄコンバータのダイナミックレンジと等しい例を示したが、基地局の受信ダイナミックレンジはその受信系を構成する回路要素（Ａ／Ｄコンバータを含む）の全部または一部によって決定されてもよい。
【００５５】
さらに、本発明は、ＯＦＤＭＡ方式およびＴＤＭＡ／ＴＤＤ方式を採用する基地局だけでなく、マルチキャリア伝送方式を採用する基地局全般に広く適用可能である。
【符号の説明】
【００５６】
１０  移動通信システム、１２  基地局、１４  移動局、１６  セル、２０  アンテナ、３０  受信部、３１，３４，４１  帯域通過フィルタ、３２  低雑音アンプ、３３，３６  ミキサ、３５，４２  ＩＦアンプ、３７  可変利得アンプ、３８  ＡＤＣ（Ａ／Ｄコンバータ）、３９  受信利得制御部、４０  ＣＣＨ用受信レベル検出部、４３  検波器、５０  信号処理部、６０  制御部、６１  接続要求検出部、６２  最大受信レベル検出部、６３  チャネル割当部。
【図１】
2010278685.tif 000003
【図２】
2010278685.tif 000004
【図３】
2010278685.tif 000005
【図４】
2010278685.tif 000006
【図５】
2010278685.tif 000007